(57)【要約】  本発明は、医療デバイスを駆動するために持ち運び可能な圧力容器に関し、その容器は、内部容積（１０３、２０３、３０３、４０３、５０３）を封じ込める圧力ハウジング（１０１、２０１、３０１、４０１、５０１）と、圧力ハウジング（１０１、２０１、３０１、４０１、５０１）を通って延在する圧力出口（１０２、２０２、３０２、４０２、５０２）とを含み、ここで、内部容積（１０３、２０３、３０３、４０３、５０３）は、液体収納部分（１０５、２０５、３０５、４０５、５０５）とガス収納部分（１０４、２０４、３０４、４０４、５０４）とを含み、液体収納部分（１０５、２０５、３０５、４０５、５０５）とガス収納部分（１０４、２０４、３０４、４０４、５０４）は、互いに流れ連結しており、液体収納部分（１０５、２０５、３０５、４０５、５０５）は、駆動媒体（１０）の液相（１５）を収納するように構成され、ガス収納部分（１０４、２０４、３０４、４０４、５０４）は、駆動媒体（１０）のガス相（１４）を収納するように構成され、圧力出口（１０２、２０２、３０２、４０２、５０２）は、ガス収納部分（１０４、２０４、３０４、４０４、５０４）と流れ連結のみしている。
2018516650.tif 000002
【特許請求の範囲】
【請求項１】
医療デバイスを駆動するための持ち運び可能な圧力容器であって：
内部容積（１０３、２０３、３０３、４０３、５０３）を封じ込める圧力ハウジング（１０１、２０１、３０１、４０１、５０１）と、
該圧力ハウジング（１０１、２０１、３０１、４０１、５０１）を通って延在する圧力出口（１０２、２０２、３０２、４０２、５０２）とを含み、
ここで、内部容積（１０３、２０３、３０３、４０３、５０３）は、液体収納部分（１０５、２０５、３０５、４０５、５０５）とガス収納部分（１０４、２０４、３０４、４０４、５０４）とを含み、液体収納部分（１０５、２０５、３０５、４０５、５０５）とガス収納部分（１０４、２０４、３０４、４０４、５０４）は、互いに流れ連結しており、
液体収納部分（１０５、２０５、３０５、４０５、５０５）は、駆動媒体（１０）の液相（１５）を収納するように構成され、ガス収納部分（１０４、２０４、３０４、４０４、５０４）は、駆動媒体（１０）のガス相（１４）を収納するように構成され、
圧力出口（１０２、２０２、３０２、４０２、５０２）は、ガス収納部分（１０４、２０４、３０４、４０４、５０４）のみと流れ連結している、前記圧力容器。
【請求項２】
液体収納部分（１０５、２０５、３０５、４０５、５０５）は、圧力出口（１０２、２０２、３０２、４０２、５０２）から遠く所定の非ゼロの距離に位置し、ガス収納部分（１０４、２０４、３０４、４０４、５０４）は、液体収納部分（１０５、２０５、３０５、４０５、５０５）と圧力出口（１０２、２０２、３０２、４０２、５０２）との間に位置する、請求項１に記載の圧力容器。
【請求項３】
多孔性の収納媒体（３１０、４１０、５１０）または多孔性の輸送媒体（２１０）が、液体収納部分（１０５、２０５、３０５、４０５、５０５）内に配置され、ガス収納部分（１０４、２０４、３０４、４０４、５０４）に向かって、またはその中に延在している、請求項１または２に記載の圧力容器。
【請求項４】
多孔性の収納媒体（３１０、４１０、５１０）は、圧力ハウジング（１０１、２０１、３０１、４０１、５０１）の内側に当接している、請求項３に記載の圧力容器。
【請求項５】
多孔性の収納媒体（３１０、５１０）と圧力出口（３０２、５０２）は、圧力ハウジング（３０１、５０１）の反対の端部区分に配置されている、請求項３または４に記載の圧力容器。
【請求項６】
多孔性の収納媒体（５１０）は、圧力ハウジング（５０１）の底部分（５０７）に配置され、穿孔格子（５１１）によって定位置に保持され、または圧迫される、請求項３〜５のいずれか１項に記載の圧力容器。
【請求項７】
圧力出口（２０２、５０２）は、圧力ハウジング（５０１）と解放可能に係合可能な出口部材（５１２）に位置する、請求項５または６に記載の圧力容器。
【請求項８】
出口部材（５０２）は、圧力ハウジング（５０１）の対応するねじ付き側壁部分（５０６）とねじ係合可能な側壁（５１４）を含み、多孔性の収納媒体（５１０）に圧迫圧力をかける、請求項７に記載の圧力容器。
【請求項９】
多孔性の収納媒体（３１０）は、圧力ハウジング（３０１）の底部分（３０７）に沿って、および側壁部分（３０６）に沿って延在する、請求項３〜８のいずれか１項に記載の圧力容器。
【請求項１０】
多孔性の収納媒体（４１０）は、一方の長手方向端部（４１５）で圧力ハウジング（４０１）に固定され、反対側の長手方向端部（４１６）がガス収納部分（４０４）の中に延在している自己支持型の細長いロッド構造体（４１４）を含む、請求項３〜９のいずれか１項に記載の圧力容器。
【請求項１１】
圧力出口（１０２）と流れ連結しており、圧力ハウジング（１０１）の側壁部分（１０６）から内部容積（１０３）の中に延在しているが、ガス収納部分（１０４）の内側端部（１１２）で終端している流体チャネル（１１０）をさらに含む、請求項１〜１０のいずれか１項に記載の圧力容器。
【請求項１２】
流体チャネル（１１０）の内側端部（１１２）は、撥ねよけ（１１４）で覆われており、流体チャネル（１１０）は、少なくとも１つの入口開口部（１１６）を側壁部分（１１５）に有する、請求項１１に記載の圧力容器。
【請求項１３】
多孔性の収納媒体（３１０、４１０、５１０）または多孔性の輸送媒体（２１０）は、綿、スポンジ材料、多孔性の芯材料、またはそれらの組合せのうちの少なくとも１つを含む、請求項３〜１２のいずれか１項に記載の圧力容器。
【請求項１４】
液体収納部分（１０５、２０５、３０５、４０５、５０５）は、駆動媒体（１０）の液相（１５）によって少なくとも部分的に充填されている、請求項１〜１３のいずれか１項に記載の圧力容器。
【請求項１５】
圧力駆動式の持ち運び可能な医療デバイスであって、圧力駆動式の駆動機構を含み、請求項１〜１４のいずれか１項に記載の少なくとも１つの圧力容器（１００、２００、３００、４００、５００）を含む、前記圧力駆動式の持ち運び可能な医療デバイス。
【発明の詳細な説明】
【技術分野】
【０００１】
本発明は圧力容器の分野に関し、特に、注射によって液体薬剤を送達するための自動注射デバイスなどの圧力駆動式医療デバイス用の圧力容器に関する。
【背景技術】
【０００２】
自動注射器などの自動薬剤送達デバイスは、所定の用量の液体薬剤を生物組織に注射するためのかなり容易で便利な手法を提供する。そのような薬物送達デバイスは、液体薬剤が送達される予定の生物組織を穿刺するための注射針の延伸および後退機構を提供することがある。注射針が注射位置の中に延伸された後で、注射針を介した薬物の送達が自動的に開始される。送達プロセスの終了後に、典型的には針はハウジング内に後退する。そのような薬物送達デバイスは、自宅での、または自分で行う薬物療法を対象としているので、それらの全般的な取扱いは、容易に理解可能かつ明白なものであるべきである。
【０００３】
さらに、そのようなデバイスは、刺すことによる負傷（ｓｔｉｔｃｈ  ｄａｍａｇｅ）または同様の傷を回避するために、高度の患者安全性を提供すべきである。治療、薬物療法スケジュールに応じて、および注射される液体薬剤の用量に応じて、場合によってはかなり大量の、例えば１．２５ｍｌ超の注射容量、および液体薬剤の高い粘度は、既存の薬物送達デバイスの設計では何らかの困難や問題を引き起こすことがある。例えば、薬剤の送達のための総時間が、所定の範囲から外れることがある。さらに、液体薬剤の粘度および総容量によって患者が不快に感じることがあり得る。
【０００４】
そのような薬物送達デバイスまたは注射デバイスが、持ち運び可能なまたは携帯型のタイプのものであるとき、典型的にはそれらには、投薬手順を実行するため、ならびに場合により注射針を変位および後退させるための何らかの種類のエネルギー収納部が装備されている。特許文献１は、ハウジング内に移動可能に配設された薬剤注射器と、針の一部分がハウジングの遠位端部分の外側に配設されている注射位置に薬剤注射器を移動させる力を生成するように構成されたエネルギー収納部材とを特徴とする装置を記述している。
【０００５】
エネルギー収納部材は、薬剤容器に作用して第１の位置と第２の位置との間で薬剤容器を移動させる力を生成するように動作可能である圧縮ガスシリンダである。加圧ガスによって生成される力に応答して、可動部材および薬剤注射器は、ハウジングの遠位端部分に向かって移動し、それによりハウジングから針が露出する。その後、可動部材は、薬剤容器をキャリア内で遠位方向に移動させ続ける。この薬剤容器の継続的な動きによって、針が薬剤容器と流体連通し、それにより薬剤が注射されることが可能になる。最後に、加圧ガスからの力によって、可動部材が薬剤容器内で移動し、それにより薬剤が針を通って排出される。
【０００６】
圧縮ガスによるエネルギー収納部には、圧縮ガスがそれぞれの圧力容器を出るときのガス状駆動媒体の圧力の安定性に関していくつかの限界が伴う。かなり長い時間間隔にわたって、例えば注射の全時間にわたってガス状駆動媒体の圧力を一定にするには、かなり強く加圧された圧力容器の実装を必要とするか、またはそのような圧力容器のサイズおよび充填容量を増大させることを必要とする。携帯型または持ち運び可能な医療用途に対しては、これら両方の選択肢には、コンパクトで小型の持ち運び可能な医療デバイスに関して、または患者安全性および取扱いのしやすさの観点から、いくつかの欠点が伴う。
【先行技術文献】
【特許文献】
【０００７】
【特許文献１】米国特許出願公開第２０１２／００７１８２９（Ａ１）号
【発明の概要】
【発明が解決しようとする課題】
【０００８】
したがって、本発明の目的は、持ち運び可能な注射デバイスなどの医療デバイスを駆動するための改善された圧力容器を提供することである。圧力容器は、注射手順の全持続時間中に、かなり一定の駆動媒体の圧力レベルを提供するべきである。持ち運び可能な圧力容器は、数分または数時間などの比較的長い時間間隔にわたって患者によって携帯されることが意図された小型化された医療デバイス、特に小型化された注射デバイスに特に適しているべきである。したがって持ち運び可能な圧力容器は、圧力駆動式の、または圧力推進式の注射デバイスのための、かなり省スペースでありながらも長続きする機械的エネルギーの供給源を提供するべきである。さらに圧力容器は、妥当なまたは低いコストにおいて高度な再現性で容易に製造できるものであるべきである。さらに圧力容器は、使用準備された構成において、比較的長い時間間隔にわたって、中に収納されたエネルギーの本質的な劣化または散逸のない状態で、収納可能であるべきである。
【課題を解決するための手段】
【０００９】
第１の態様では、医療デバイスを駆動するための持ち運び可能な圧力容器が提供される。容器は、内部容積を封じ込める、または画成する圧力ハウジングを含む。圧力容器さらに、圧力ハウジングを通って延在する圧力出口を有する。圧力出口は、圧力ハウジングの外部と内部容積との間で流れまたは流体の連結を提供する。典型的には圧力出口は、何らかの種類の標準化されたアダプタまたはコネクタを含み、そのアダプタまたはコネクタによって、圧力容器の加圧された内容物が医療デバイスに案内されまたは移送されて、医療デバイスを駆動することが可能になる。
【００１０】
圧力ハウジングの内部容積は、液体収納部分とガス収納部分とを含む。液体収納部分およびガス収納部分は、互いに流れ連結している。したがって、液体収納部分内に位置する駆動媒体の液相は、自由に蒸発してガス収納部分に入り、逆も同様である。さらに、液体収納部分は、駆動媒体の液相を収納するように構成される。同じく、または同様に、ガス収納部分は、駆動媒体のガス相を収納するように構成される。
【００１１】
典型的には、圧力ハウジングの内部容積は、実質的に液体収納部分とガス収納部分に分割される。駆動媒体は、典型的には圧力ハウジングの内部容積内に位置し、その液相は主に液体収納媒体内に位置し、そのガス相は、典型的にはガス収納部分に提供され完全にガス収納部分を満たしている。圧力ハウジング内の圧力および温度に応じて、駆動媒体の液相およびガス相は平衡状態にある。圧力および温度のうちの少なくとも１つを変更することによって、例えば少なくとも５０重量％以上の総駆動媒体が、圧力ハウジング内の液相に存在するように、平衡を任意にシフトすることができる。
【００１２】
さらに、持ち運び可能な圧力容器の圧力出口は、内部容積のガス収納部分のみと、またはそれだけに限定して流れ連結している。こうして、駆動媒体のガス相だけが、圧力容器を出て医療デバイスを駆動することができることが実質的に保証され確実になり、その一方で駆動媒体の液相は、圧力容器から出ることを実質的に妨げられる。
【００１３】
駆動媒体の液相およびガス相を収容するための持ち運び可能な圧力容器によって、かなり一定の駆動圧力を、圧力出口において提供することができる。圧力出口を介して圧力ハウジングからガス相が発散し始めるとすぐに、駆動媒体の液相の一部分が蒸発してガス相に入る。その結果、かなり一定のガス圧力を、比較的長い期間にわたって圧力出口で得ることができる。かなり一定のガス圧力は、駆動媒体の充分な液相が内部容積内にある限り、圧力出口において効果的に提供される。
【００１４】
典型的には持ち運び可能な圧力容器は、患者によって携帯され、それにより患者に熱的に結合されるように特化される。例えば、医療デバイス、したがってそれぞれの持ち運び可能な圧力容器は、患者の肌に粘着により取り付けられる。次いで、液相からガス相への駆動媒体の蒸発のエンタルピーが、患者の身体からの熱エネルギーの内在的な供給によって、例えば患者の体温によって補償される。さらに液相の量が、医療デバイスを駆動するために典型的に必要な量を超過することも考えられる。その場合さらに、蒸発エンタルピーが駆動媒体の液相から分岐し、それにより圧力容器からガス相が逃れるときに、わずかに冷めることが考えられる。
【００１５】
ガス収納部分だけに限定して流れ連結している圧力出口を有することは、持ち運び可能な圧力容器からの、向きとは無関係なガス相の抽出を提供するのに有益である。技術的観点から見れば、圧力容器から発散するガス相の流れは、液相に比べてはるかに取り扱いやすく、または制御しやすいものである。さらに、蒸発してガス相に入るように液相を収納することによって、作業容量、したがって駆動媒体の駆動性能を、複数倍に増大させることができる。液相からガス相への相転移を利用することによって、持ち運び可能な圧力容器のサイズを大きくする必要なく、推進ガスを提供することに関する収納性能を増大させることができる。
【００１６】
別の実施形態によれば、液体収納部分は、圧力出口から遠く所定の非ゼロの距離に位置する。さらに、ガス収納部分は、液体収納部分と圧力出口との間に位置する。こうして、例えば内部容積内にまず液相で主に提供される駆動媒体は、液相からガス相への相転移を経ざるを得なくなる。このために、また様々な考えられる実施形態、ならびにガス収納部分および液体収納部分の幾何形状に応じて、液相は、液体収納部分とガス収納部分との間の境界に、またはその近くに提供されなくてはならない。この場合、液相は、少なくとも部分的に、または継続的にガス相への相転移を経て、それによりガス収納部分内の所定のガス圧力および平衡が維持される。
【００１７】
液体収納部分と圧力出口との間にガス収納部分を配置することによって、駆動媒体の液相の一部分が圧力出口に入ることが効果的に防止される。こうして、ガス収納部分によって、液体収納部分と圧力出口との間で幾何学的な分離が提供される。
【００１８】
液体収納部分とガス収納部分への内部容積の分離は、静的なタイプであっても動的なタイプであってもよい。静的な分離として実装される場合には、液体収納部分およびガス収納部分のうちの少なくとも１つは、駆動媒体の液相またはガス相のうちの１つのみを収納するように特に適用された幾何学的構造を含む。動的に実装される場合には、液相およびガス相の一時的な位置によってその幾何学的構造が変わる可動の境界によって、液体収納部分およびガス収納部分が分離されることが考えられる。液相とガス相との間の境界は、重力に対して感応性があり、それにより液相とガス相との間の境界は、圧力容器の向きが変更されるとき動的な変化を受けることが考えられる。
【００１９】
液相とガス相との間の境界が動的タイプのものである典型的な実施形態では、駆動媒体の液相の体積が、圧力容器の内部容積の６０％未満、５０％未満、４０％未満、または３０％未満であるとき、特に有益である。こうして、ガス収納部分のみが、圧力出口と流れ連結することが保証される。
【００２０】
さらなる実施形態によれば、多孔性の収納媒体または多孔性の輸送媒体が、液体収納部分内に配置され、ガス収納部分に向かって、またはその中に延在している。多孔性の収納媒体を内部容積内に配置するとき、圧力容器の液体収納部分全体を、多孔性の収納媒体が満たしてもよく、または多孔性の収納媒体がそれを画成さえしてもよい。典型的には、孔および孔によって生じる毛細管引力が、駆動媒体の液相の大部分または全体さえも吸い上げるまたは吸収するように構成されるように、多孔性の収納媒体が選択される。その場合、多孔性の収納媒体の外縁部または外面が、液体収納部分とガス収納部分との間の境界を画成する。駆動媒体の大部分を多孔性の収納媒体に吸収させることによって、向きに無関係なガス相の抽出が内在的に提供される。さらに、多孔性の収納媒体を利用することによって、液相とガス相との間の境界の有効表面を、液相の充填レベルの表面によって前記境界が画成される実施形態に比べて、増大させることができる。
【００２１】
多孔性の収納媒体を内部容積内で利用することによって、多孔性の収納媒体の外側幾何形状およびそれが取り囲む体積が、内部容積の液体収納部分を効果的に画成する。その場合、典型的には内部容積の残りの部分が、ガス収納部分を画成する。
【００２２】
多孔性の輸送媒体が内部容積内に位置する実施形態では、輸送媒体は駆動媒体の液相と流れ連結している。例えば輸送媒体を、駆動媒体の液相に浸してもよい。その場合、多孔性の輸送媒体は、少なくとも１つの端部で液相と流体連通しているか、液相と物理的に接触しており、一方では別の端部でガス収納部分に接触しているか、ガス収納部分に向かって延在している。
【００２３】
そのような実施形態では、分割壁などの分割構造体によって、内部容積の液体収納部分とガス収納部分とを分割することが概して考えられる。その場合、分割構造体または分割壁が、多孔性の輸送媒体と交差し、それにより液体収納部分を出て、ガス収納部分に向かうまたはそれに入る駆動媒体の液相の明確に画成された輸送が支持されるとき、特に有益である。そのような実施形態では、多孔性の輸送媒体が液体収納部分のほぼ全体を通って延在し、それにより、液相の相当な量がすでに液体収納部分から出て行った場合でも、細長い多孔性の輸送媒体の一端がなお液相と流体連結しているとき、特に有益である。その場合、多孔性の輸送媒体の反対側の端部は、典型的には蒸発チャンバの中に延在しており、蒸発チャンバは、ガス収納部分の一部分であるか、ガス収納部分と直接流れ連通しているかのいずれかである。
【００２４】
さらなる実施形態によれば、多孔性の収納媒体は、圧力ハウジングの内側に当接している。こうして、多孔性の収納媒体は、液体収納部分の明確に画成された位置および幾何形状を提供するように圧力ハウジングに固定される。多孔性の収納媒体を圧力ハウジングの内側に、例えば底部分または側壁部分に配置することによって、外部から多孔性の収納媒体に向かう熱接触および熱伝達を改善することができる。さらに、多孔性の収納媒体を、圧力ハウジング内に固定および配置することによって、潜在的に圧力出口の詰まりにつながる恐れがある圧力出口と多孔性の収納媒体との間の相互接触を、効果的に防止することができる。
【００２５】
別の実施形態によれば、多孔性の収納媒体および圧力出口は、圧力ハウジングの反対の端部区分内にまたはそれらの端部区分に配置される。こうして、多孔性の収納媒体、したがって液体収納部分と、圧力出口との間の距離を最大化することができる。圧力容器およびその圧力ハウジングが、チューブ形状などの細長い幾何学的構造体を含む実施形態では、圧力出口と多孔性の収納媒体を、圧力ハウジングの、反対に位置する長手方向端部または軸方向端部に配置することが、特に有益である。
【００２６】
さらなる実施形態では、多孔性の収納媒体は、圧力ハウジングの底部分に配置され、穿孔格子によって定位置に保持され、または圧迫される。典型的には、多孔性の収納媒体はかなり弾性があり、圧力ハウジングにしっかりと締め付けられた状態を保つために少なくとも１つの固定手段と相互作用する必要がある。穿孔格子は、多孔性の収納媒体に収納された液相の蒸発を可能にするために、典型的には多数の穿孔を含む。穿孔格子によって、多孔性の収納媒体は、圧力ハウジングの底部分と穿孔格子との間に挟まれる。穿孔格子は、多孔性の収納媒体を底部分に固定するように、圧力ハウジングの側壁部分の内側と係合可能であってもよい。穿孔格子が、圧力ハウジングの側壁部分の内側に位置する少なくとも１つの固定要素、または固定構造体と確実に係合可能であることが考えられる。あるいは穿孔格子自体が、例えば圧力ハウジングのクロージャによって、または圧力ハウジングの封鎖部と動作可能に係合可能な離間リングによって、圧迫を受けてもよい。
【００２７】
穿孔格子に作用する圧力を変えることによって、多孔性の収納媒体の圧迫を提供し、その程度を変更することが、さらに考えられる。こうして、圧力出口においてガス圧力レベルを変更するために、多孔性の収納媒体の媒体孔サイズ、および全体的な幾何学的寸法を、概して変更することができる。
【００２８】
別の実施形態では、圧力出口は、圧力ハウジングと解放可能に係合可能な出口部材に位置する。出口部材は、外部に対して圧力ハウジングを閉鎖するためのクロージャとしての役割を効果的に果たす。クロージャまたは出口部材は、典型的には圧力ハウジングの底部分の反対側に位置する圧力ハウジングの上部分と連結可能である。こうして、出口部材は、反対側の底部分に配置された多孔性の収納媒体から内在的に最大距離で位置する。解放可能なまたは取り外し可能な出口部材によって、圧力容器を必要に応じて再充填することができる。しかし、圧力容器は、駆動媒体によって医療デバイスが推進された際、その全体が廃棄されることになる使い捨てデバイスとして設計および構成されることが、さらに考えられる。
【００２９】
別の実施形態では、出口部材は、圧力ハウジングの対応するねじ付き側壁部分とねじ係合可能な側壁を含む。こうして、出口部材は、多孔性の収納媒体に可変の圧迫圧力をかける、または誘導することができる。出口部材、圧力ハウジング、多孔性の収納媒体の特定の幾何形状、および／または穿孔格子の特定の幾何形状に応じて、出口部材の側壁と、穿孔格子との直接的な機械的接触が考えられるか、または出口部材の側壁と穿孔格子との間に配置される離間部材が圧力容器にさらに装備される。典型的には出口部材の側壁の外周は、それに対応して形状設定された圧力ハウジングの側壁部分の、それに対応して形状設定された内ねじ（ｉｎｎｅｒ  ｔｈｒｅａｄ）に嵌合し係合するための外ねじ（ｏｕｔｅｒ  ｔｈｒｅａｄ）を含む。出口部材および圧力ハウジングの側壁または側壁部分のうちの少なくとも１つには、外部に対する内部容積の気密封止を提供するためにＯリングなどの封止部が典型的には設けられる。Ｏリングに加えて、またはその代わりに、圧力ハウジングおよび出口部材の側壁のねじ山のうちの１つの少なくとも一部分に沿って、封止テープを巻き付けてもよい。
【００３０】
出口部材と圧力ハウジングとのねじ係合によって、可変圧力を多孔性の収納媒体に加えて、多孔性の収納媒体の液体吸収性能および蒸発特性を変更することができる。多孔性の収納媒体に作用する圧力は、圧力ハウジングに出口部材をねじ込むまたはねじ戻すことによって、任意におよび継続的に変更することができる。
【００３１】
別の実施形態によれば、多孔性の収納媒体は、圧力ハウジングの底部分に沿って、および側壁部分に沿って延在する。言い換えれば、多孔性の収納媒体は、圧力出口のすぐ近傍に位置している圧力ハウジングの一部分を除いて、圧力ハウジングの内向きに面する部分のほぼ全体に沿って延在している。圧力ハウジングが、細長いまたは円筒形状のものであり、圧力出口が圧力ハウジングの上側の長手方向端部に位置すると仮定した場合、圧力ハウジングの底部分および側壁部分は、多孔性の収納媒体でクラッディング、ライニング、またはコーティングされる。圧力ハウジングの壁構造体の内側に多孔性の収納媒体を配置することによって、外部に対する良好な熱結合が内在的に実現される。医療デバイスおよび／またはその持ち運び可能な圧力容器が、例えば患者の肌と熱接触したとき、液相からガス相への蒸発の蒸発エンタルピーを、体温から容易に抽出することができる。
【００３２】
多孔性の収納媒体は、圧力ハウジングの内側においてある種のクラッディングを提供することができる。圧力ハウジングの底部分に沿って、および側壁部分に沿って延在する多孔性の収納媒体があることによって、内部容積のガス収納部分は、液体収納部分によってほぼ完全に包囲される。
【００３３】
さらなる実施形態によれば、圧力ハウジングの内側の全体には多孔性の収納媒体が設けられる、または圧力ハウジングの内側の全体がそれによって覆われる。その場合、圧力出口は、多孔性の収納媒体を通って延在しそれと交差している流体チャネルを含み、それにより圧力出口の一方の端部が、ガス収納部分の内側に位置し、その反対側の端部は、外側からアクセス可能になるか、圧力ハウジングの外側に位置するかのいずれかである。
【００３４】
別の実施形態によれば、多孔性の収納媒体は、一方の長手方向端部で圧力ハウジングに固定され、反対側の長手方向端部がガス収納部分内に延在している自己支持型の細長いロッド構造体を含む。自己支持型の細長いロッド構造体は、圧力ハウジングの内側と機械的に接触することなく、ガス収納部分の中に延在するのに充分なほど安定している。言い換えれば、自己支持型の細長いロッド構造体によって、多孔性の収納媒体を圧力ハウジングだけに限定して１つの端部だけで固定することができ、多孔性の収納媒体のその他のまたは残りの外側に面する表面部分のすべては、ガス収納部分内に位置し、それにより液体収納部分とガス収容部分との間の境界が形成または構成される。
【００３５】
自己支持型の細長いロッド構造体が圧力容器のクロージャだけに限定して連結されているとき、特に有益である。クロージャは、圧力ハウジングの内部容積を封止するために、典型的には圧力ハウジングに解放可能に取り付けられる。クロージャをゆるめて圧力ハウジングから外に取り除くことによって、それに固定された多孔性の収納媒体も、圧力ハウジングから取り出すことができる。そのような構成は、特に圧力容器を再充填するために使用されるものである。クロージャは、多孔性の収納媒体を変位させる、または取り除くためのハンドルとしての役割を果たしてもよい。例えば多孔性の収納媒体は、クロージャにより把持され、液体の駆動媒体に浸されて駆動媒体を吸い上げ吸収してもよい。その後、多孔性の収納媒体およびクロージャは、圧力ハウジングの中に挿入され、それに固定され、それにより多孔性の収納媒体が内部容積内の所定の位置に配置される。
【００３６】
別の実施形態では、圧力容器は、圧力出口と流れ連結している流体チャネルを含む。流体チャネルは、圧力ハウジングの側壁部分から内部容積の中に延在するが、ガス収納部分の内側端部で終端している。流体チャネルは、圧力ハウジングと一体に形成してもよく、または別個の部材として提供してもよい。典型的には、流体チャネルの内側端部は、圧力ハウジング側壁、および底部分または上部分から所定の距離に位置する。流体チャネルの内側端部は、圧力ハウジングの壁構造体から所定の距離に位置するので、液体収納部分とガス収納部分との間に動的境界を実装することが可能である。
【００３７】
したがって、圧力ハウジングの内部容積は、駆動媒体の液相によって部分的にのみ充填される。しかしその場合、液相の表面が、圧力ハウジングのいかなる向きにも関係なく、流体チャネルの内側端部と接触し得ない程度まで、充填レベルを低減させるべきである。したがって、液相の異なる位置につながるいかなる任意の向きに対しても、流体チャネルの内側端部は、駆動媒体の液相の表面から少なくとも所定の距離に位置することになる。
【００３８】
さらなる実施形態によれば、流体チャネルの内側端部は、撥ねよけ（ｓｐｌａｓｈ  ｇｕａｒｄ）で覆われる。言い換えれば、長手方向から見たとき、細長い流体チャネルの内側端部は、撥ねよけによって閉じられる。流体チャネルへのガス相の進入を実現するために、流体チャネルは、側壁部分に少なくとも１つの入口開口部を有する。流体チャネルの内側端部において撥ねよけを利用することによって、圧力容器が機械的衝撃または振動を受ける場合でも、駆動媒体の液相の流体チャネルへの進入を効果的に防止することができる。
【００３９】
典型的には、流体チャネルの少なくとも１つまたは複数の入口開口部は、流体チャネルの撥ねよけまたはその内側端部のごく近傍においてその側壁部分に配置される。こうして、圧力容器が逆さまに向けられたときでも、ガス相だけが流体チャネルに入ることができることを確実にすることができる。
【００４０】
別の実施形態によれば、多孔性の収納媒体または多孔性の輸送媒体は、綿、スポンジ材料、多孔性の芯材料、またはそれらの組合せのうちの少なくとも１つを含む。多孔性の収納媒体は、発泡構造体を含んでもよい。多孔性の収納媒体は、重合体または合成材料を含んでもよく、またはそれらから構成されてもよい。あるいは、多孔性の収納媒体は、繊維材料、不織材料、または不織布を含む、またはそれらから構成されることが考えられる。
【００４１】
多孔性の収納媒体は、駆動媒体に応じて、および駆動媒体の観点から選択することができる。多孔性の収納媒体は、そのメジアン孔サイズに基づき、駆動媒体の表面張力に関して選択することができる。
【００４２】
別の実施形態によれば、持ち運び可能な圧力容器の内部の液体収納部分は、駆動媒体の液相によって少なくとも部分的に充填される。特に圧力容器は、圧力ハウジングの内部が、駆動媒体の平衡状態にある液相とガス相によって満たされる程度まで、駆動媒体で予め充填される。予め充填された圧力容器は、使用後に廃棄することが意図された使い捨て圧力容器に特に適している。
【００４３】
別の態様によれば、本発明は、圧力駆動式の駆動機構を含み、少なくとも１つの上述した圧力容器を含む圧力駆動式の持ち運び可能な医療デバイスにも関する。典型的には、持ち運び可能な医療デバイスは、液体薬剤の皮内または皮下注射のための注射デバイスとして構成される。医療デバイスは、特に患者の肌に解放可能に粘着するように適用および構成される。圧力容器は、完全に自動化された注射プロセスを誘導またはトリガするために使用することができるエネルギー源を提供し、その注射プロセスは、生物組織に貫入するまたはそれを穿孔するように、針を送り出すこと、場合により、注射針と、液体薬剤を含むカートリッジとの間で流体連結を確立することから始まり、カートリッジから薬剤を継続的にまたは段階的に放出することによって、生物組織への液体薬剤の注射を誘導および実施するものである。
【００４４】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００４５】
インスリン類似体は、例えば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００４６】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００４７】
エキセンジン−４は、例えば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００４８】
エキセンジン−４誘導体は、例えば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００４９】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００５０】
ホルモンは、例えば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００５１】
多糖類としては、例えば、グルコサミノグリカン、ヒアルロン酸、ヘパリン、低分子量ヘパリン、もしくは超低分子量ヘパリン、またはそれらの誘導体、または上述の多糖類の硫酸化形態、例えば、ポリ硫酸化形態、および／または、薬学的に許容されるそれらの塩がある。ポリ硫酸化低分子量ヘパリンの薬学的に許容される塩の例としては、エノキサパリンナトリウムがある。
【００５２】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００５３】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（例えば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００５４】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００５５】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００５６】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００５７】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００５８】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００５９】
薬学的に許容される塩は、例えば、酸付加塩および塩基性塩である。酸付加塩としては、例えば、ＨＣｌまたはＨＢｒ塩がある。塩基性塩は、例えば、アルカリまたはアルカリ土類、例えば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００６０】
薬学的に許容される溶媒和物は、例えば、水和物である。
【００６１】
本発明の趣旨および範囲から逸脱することなく本発明に様々な修正および変更を加えることができることが、さらに当業者には明らかであろう。さらに、添付の特許請求の範囲で使用されるいかなる参照符号も、本発明の範囲を限定するものとして解釈されないことに、留意すべきである。
【００６２】
以下に、駆動機構および注射デバイスの実施形態が、図面を参照しながら詳細に記述される。
【図面の簡単な説明】
【００６３】
【図１】持ち運び可能な圧力容器の一実施形態の断面図である。
【図２】圧力容器の別の実施形態の断面図である。
【図３】圧力容器のさらなる実施形態を通る断面図である。
【図４】圧力容器の別の実施形態を通る断面図である。
【図５】圧力容器のさらなる実施形態を通る断面図である。
【図６】図１〜図５の実施形態のうちの１つによる圧力容器を含む圧力駆動式の持ち運び可能な医療デバイスの概略図である。
【発明を実施するための形態】
【００６４】
図６では、注射デバイス２０が概略的に示されている。注射デバイスは、典型的には軸方向（ｚ）に延在するチューブ形状であるハウジング２２を含む。ハウジング２２の内側には、チューブ状のバレル２５を含む、液体薬剤２６が充填されているカートリッジ２４が配置されている。ハウジング２２の遠位端の近くには、カップ形状のニードルハブと、長手方向または軸方向（ｚ）に延在する注射針４４とを有するニードルアセンブリが設けられる。遠位方向において、注射針は注射デバイス２０から離れる方向に面している。その遠位端で、注射針３４は生物組織に貫入しまたは生物組織を穿孔して、液体薬剤２６を送達することができる。その反対側の近位方向に面する近位端で、注射針４４は、カートリッジ２４の遠位端にある封止部３０に貫入しまたはそれを穿孔するように構成される。近位端は、ハウジング２２の遠位端のアパーチャを通って近位方向に延在している。
【００６５】
近位方向、したがって近位端２７の近くにおいて、カートリッジ２４は、カートリッジ２４の変位可能な封止部として作用するピストン２８によって封止される。天然ゴムまたは合成ゴムなどの典型的には弾性材料のピストン２８は、典型的には所定の流量で注射針４４を介して所定量の薬剤２６を排出するために、遠位方向に変位可能である。ピストン２８は、増大した圧力レベルに晒される、近位方向に面したスラスト受け面２９を含む。本注射デバイス２０では、加圧流体またはガスなどの加圧媒体が、ハウジング２２の近位側に入ってピストン２８に駆動圧力を加える。
【００６６】
このために、ハウジング２２は、典型的には加圧ガスの形態である媒体を提供する圧力容器１００と流体連結または流体連通している。ピストン２８の変位速度を制御し、注射針４４を通る薬剤２６の流量を制御するために、図６に概略的に示される流れ制限器５０がさらに設けられる。流れ制限器５０は、圧力容器１００とピストン２８の間の流路に位置する。注射デバイス２０は、ハウジング２２内でカートリッジ２４の近位に位置する駆動部材６０を有するガス推進式の駆動機構７０をさらに含む。駆動部材６０は、ハウジング２２の側壁の内側と封止係合６２している。加圧ガスがハウジング２２に入るとすぐに、ハウジング２２と封止係合している駆動部材が遠位方向に押しやられ、それによりカートリッジ２４全体も遠位方向に押される。その結果、カートリッジの遠位端の封止部３０が、両頭（ｄｏｕｂｌｅ  ｔｉｐｐｅｄ）注射針４４の近位先端によって穿孔され、それによりカートリッジ２４の内部へのアクセスが得られる。カートリッジがハウジング２２内の遠位端位置に到達すると、駆動部材６０は、駆動媒体がそれを通ることを可能にし、それにより、次いで加圧ガスが、カートリッジ２４のピストン２８を明確に画成され制御された態様で遠位方向に駆動することができ、それにより薬剤をカートリッジ２４から投薬し排出する。
【００６７】
図１〜図５では、圧力ハウジング１０１、２０１、３０１、４０１、５０１に設けられた圧力出口１０２、２０２、３０２、４０２、５０２においてかなり一定のガス流を提供することができる圧力容器１００、２００、３００、４００、５００の様々な実施形態が示され、ここで前記圧力ハウジングは、内部容積１０３、２０３、３０３、４０３、５０３を封じ込める。様々な圧力容器１００、２００、３００、４００、５００は、液体収納部分１０５、２０５、３０５、４０５、５０５と、ガス収納部分１０４、２０４、３０４、４０４、５０５とを含む。液体収納部分１０５、２０５、３０５、４０５、５０５は、駆動媒体１０の液相１５を収納および収容するように構成され、ガス収納部分１０４、２０４、３０４、４０４、５０５は、駆動媒体１０のガス相１４を収納および収容するように構成される。
【００６８】
明らかに、図１〜図５に示されるすべての実施形態において、圧力出口１０２、２０２、３０２、４０２、５０２は、ガス収納部分１０４、２０４、３０４、４０４、５０４のみと、またはそれだけに限定して流れ連結または流体連通しており、それにより、駆動媒体１０のガス相１４だけが、圧力出口１０２、２０２、３０２、４０２、５０２を通って圧力ハウジング１０１、２０１、３０１、４０１、５０１から発散するまたは出ることができる。
【００６９】
図１〜図５に示される様々な実施形態では、圧力ハウジング１０１、２０１、３０１、４０１、５０１は、実質的に円筒形状または直方体形状である。しかし圧力ハウジングは、決して示される幾何学的形状に限定されない。圧力ハウジング１０１は、球形状、長円形状、または楕円形状を有することもできる。図１〜図５の様々な実施形態では、圧力ハウジング１０１、２０１、３０１、４０１、５０１は、底部分１０７、２０７、３０７、４０７、５０７と、上部分１０８、２０８、３０８、４０８、５０８に向かって延在する少なくとも１つの側壁１０６、２０６、３０６、４０６、５０６とを含む。図１および図２による図では、圧力容器１００、２００は、側壁１０６、２０６を下にして置かれるように９０°回転されている。
【００７０】
図１に示される圧力容器１００は、圧力出口１０２と流れ連結している流体チャネル１１０を含む。流体チャネル１１０は、圧力ハウジング１０１の上部分１０８から内向きに、圧力ハウジング１０１の内部１０３の中に延在している。円錐または円筒形状の側壁１１５によって形成される流体チャネル１１０は、圧力ハウジング１０１の側壁１０６から、ならびに底部分１０７および上部分１０８から、所定の距離に位置する内側端部１１２で終端している。流体チャネル１１０の内側端部１１２は、駆動媒体１０の液相１５が流体チャネル１１０に進入することを防止するために、撥ねよけ１１４によってさらに覆われている。
【００７１】
ガス相１４が流体チャネル１１０に入るために、流体チャネル１１０の側壁１１５に少なくとも１つの入口開口部１１６が設けられる。図１に示されるように、撥ねよけ１１４のすぐ近傍に位置し、したがって流体チャネル１１０の内側端部１１２の近くに位置する少なくとも２つの入口開口部１１６が設けられる。こうして、駆動媒体１０の液相１５を、内部容積の特定の領域に固定することなく、内部容積１０３内に収納することができる。
【００７２】
したがって、駆動媒体１０の液相１５とガス相１４との間の境界は、動的タイプのものになり、持ち運び可能な圧力容器１００の向き、および液相１５にかかる重力の影響に応じて変わる。この実施形態では、内部容積１０３は液体駆動媒体で部分的に充填されているだけであり、それにより、液相１５の充填レベルは、流体チャネル１１０の入口開口部１１６には決して達しない、または決してそれと接触しない。例えば、上部材１０８が上に位置し、底部分１０７が圧力ハウジング１０１の下側部分である実質的に鉛直な向きでは、液相１５の充填レベルは、内側端部１１２と底部分１０７との間の距離よりも短い。
【００７３】
持ち運び可能な圧力容器１００が例えば逆さまに向けられ、それにより圧力出口１０２が下側部分に位置する別の向きでは、液相１５の充填レベルは、圧力ハウジング１０１の入口開口部１１６と上部分１０８との間の距離よりも短い。こうして、持ち運び可能な圧力容器１００の一時的な向きに関わらず、内部容積１０３からガス相１４だけが放出されることを、効果的に保証することができる。
【００７４】
特に図示されていないが、圧力容器１００、２００、３００、４００、５００を解放可能に医療デバイス２０に、および特にそのガス推進式駆動機構７０に連結することができる標準化された結合部またはコネクタを、図１〜図５に示されるすべての実施形態の圧力出口１０２、２０２、３０２、４０２、５０２に設けてもよい。
【００７５】
図２による実施形態では、液体収納部分２０５とガス収納部分２０４の間の境界の静的構成が示される。ここではガス収納部分２０４は、圧力ハウジング２０２の上部分２０８のすぐ近傍に位置する。ガス収納部分２０４は、分割壁２２０によって液体収納部分２０５から分離および分割される。分割壁２２０には、多孔性の輸送媒体２１０が交差している。多孔性の収納媒体２１０は、細長いロッド構造体２１４を含み、分割壁２２０において圧力容器２０１にのみ、それだけに限定して固定される。ロッド構造体２１４が分割壁２２０に連結されそれと交差している部分は、蒸発チャンバ２１２として作用する。ロッド構造体２１４の残りの部分は、液体収納部分２０５の内側に位置する。この実施形態では、液体収納部分２０５は、駆動媒体１０の液相１５で完全にまたはほぼ完全に充填される。多孔性の輸送媒体２１０は特定のサイズの孔を有し、それにより駆動媒体１０の液相１５は、液相１５の表面張力と多孔性の輸送媒体２１０の孔サイズに起因して生じる毛細管力によって、蒸発チャンバ２１２に向かってそれに入るように継続的に輸送される。
【００７６】
多孔性の輸送媒体２１０は、一方の長手方向端部２１５だけで圧力ハウジング２０１に固定され、反対側の長手方向端部２１６がガス収納部分２０４の中に延在している自己支持型の細長いロッド構造体２１４として示される。自己支持型のかなり剛直なロッド構造体２１４を有することは、多孔性の輸送媒体２１０が圧力ハウジング２０１の側壁２０６の内側に付着しないことを確実にするために、いくらか有益である。しかし、多孔性の輸送媒体２１０が柔軟なタイプであることも考えられる。多孔性の輸送媒体２１０は、蒸発チャンバ２１２に向かって液相を輸送するために天然のまたは合成の芯材料を含んでもよい。
【００７７】
図３に示される持ち運び可能な圧力容器３００のさらなる実施形態では、圧力ハウジング３０１の内側に沿って配置された多孔性の収納媒体３１０が提供される。図３による断面に示されるように、多孔性の収納媒体３１０は、圧力ハウジング３０１の底部分３０７、および側壁または側壁部分３０６を完全に覆っている。多孔性の収納媒体３１０は、側壁１０６のすぐ近傍にある上部分１０８にさえ当接してもよい。圧力出口３０２の領域、またはその近傍だけには、多孔性の収納媒体３１０がない。
【００７８】
こうして、ガス収納部分３０４は液体収納部分３０５によってほぼ完全に包囲される。ガス収納部分３０４と液体収納部分３０５との間の境界は静的であり、多孔性の収納媒体３１０の幾何学的寸法によって決定される。多孔性の収納媒体３１０を側壁３０６および底部分３０７に配置することは、液体収納部３０５を外部に熱結合するために有益である。例えば圧力ハウジング３０１と患者の肌との間で熱結合を確立したとき、圧力容器３００を使用している間に液相１５をガス相１４に継続的に移送するための蒸発エンタルピーを、体温から抽出することができる。
【００７９】
図３、図４、および図５に示される実施形態では、液体収納部分３０５、４０５、５０５は、多孔性の収納媒体３１０、４１０、５１０の幾何学的寸法によって画成される。典型的には、多孔性の収納媒体３１０、４１０、５１０は、綿、スポンジ材料、多孔性の芯材料、ならびに、体積当たりの液相の収納性能を最大限にする孔サイズおよび孔容積、または孔密度を呈する可変の天然または合成の多孔性媒体を含んでもよく、またはそれらから構成されてもよい。
【００８０】
図４に示されるさらなる実施形態では、多孔性の収納媒体４１０は、圧力ハウジング４０１の底部分４０７に解放可能に取り付けられるように構成されたクロージャ４１２に連結されている。ここで、多孔性の収納媒体４１０は、圧力ハウジング４０１によって封じ込められる内部容積４０３の中に延在している自己支持型のロッド構造体４１４を含む。底部分４０７との接触、およびクロージャ４１２との接触以外には、多孔性の収納媒体４１０は圧力ハウジング４０１の内側に全く接触しない。したがって、図４は図３に示される実施形態に比べて逆の構成を表している。ここで、ガス収納部分４０４は、多孔性の収納媒体４１０の幾何学的寸法によって画成される液体収納部分４０５をほぼ完全に囲む。多孔性の収納媒体４１０のロッド構造体４１４は、一方の長手方向端部４１５でクロージャ４１２に連結され、反対側の長手方向端部４１６、したがってロッド構造体４１４の自由端４１６は、圧力ハウジング４０１の内部容積４０３内に位置する。自由端４１６は、圧力出口４０２に向かうガス相の流れを妨げないように、圧力ハウジング４０１の上部分４０８から所定の距離に位置する。
【００８１】
クロージャ４１２は、解放可能なタイプであっても取り外し可能なタイプであってもよい。例えばクロージャは、圧力ハウジング４０１の底４０７とねじ係合可能であってもよい。クロージャ４１２または圧力ハウジング４０１の少なくとも一方は、漏れ防止閉鎖アセンブリを提供するために、典型的にはＯリングの形態の封止部４１８を含む。図４に示される実施形態は、持ち運び可能な圧力容器４００の再充填を提供するのに特に適している。クロージャ４１２を取り外し、取り除くことによって、多孔性の収納媒体４１０を内部容積４０３から取り除くことができる。多孔性の収納媒体４１０を駆動媒体１０の液相１５に浸して、多孔性の収納媒体を満たしてもよい。その後、多孔性の収納媒体４１０を内部容積４０３の中に再挿入してもよく、クロージャ４１２が圧力ハウジング４０１を封止してもよい。
【００８２】
図５に示されるさらなる実施形態は、平坦な形状の底部分５０７と円筒形の側壁５０６とによって区切られ封じ込められた内部容積５０３を有するカップ形状の圧力ハウジング５０１を含む。円筒形の側壁５０６の内側の上側部分には、圧力出口５０２を含む出口部材５１２の外ねじ５１５とねじ係合するための内ねじ５１６が設けられる。圧力出口５０２には、さらに出口弁５２０が設けられ、出口弁５２０は、市販されているボール弁などとして実装することができる。
【００８３】
カップ形状の圧力ハウジングは、出口部材５１２によって閉鎖される。出口部材５１２の円筒形状の側壁５１４は、カップ形状の圧力ハウジング５０１と出口部材５１２のねじ連結および解放可能な連結を確立するために、圧力ハウジング５０１の側壁５０６の内径に嵌まるように構成される。圧力ハウジング５０１の内側には、平坦な形状の底部分５０７の全体を覆う多孔性の収納媒体５１０が設けられる。多孔性の収納媒体５１０の上には、液相１５からガス相１４への蒸発を可能にする多数の穿孔５１１ａを有する穿孔格子５１１が設けられ、位置する。穿孔格子５１１は、多孔性の収納媒体５１０に機械的安定性を提供し、底部分５０７において多孔性の収納媒体５１０を定位置に保つ。
【００８４】
さらに、カップ形状の圧力ハウジング５０１の側壁５０６の内周に嵌まる外周を有する離間部材５１８またはスペーサが設けられる。離間部材５１８の上側部分は、出口部材５１２の下面と軸方向に当接している。こうして、出口部材５１２は、穿孔格子５１１および多孔性の収納媒体５１０と機械的に係合可能である。出口部材５１２をカップ形状の圧力ハウジング５０１の中にさらにねじ込むことによって、穿孔格子５１１および多孔性の収納媒体５１０に離間部材５１８を介して圧力をかけることができる。
【００８５】
典型的には、および充分な封止効果を実現するために、出口部材５１２の外ねじ５１５と、側壁５０６の内ねじ５１６とのねじ係合には、例えばポリテトラフルオロエチレン（ＰＴＦＥ）の封止テープが設けられる。カップ形状の圧力ハウジング５０１および圧力ハウジング１０１、２０１、３０１、４０１は、持ち運び可能な圧力容器１００、２００、３００、４００、５００の内部の目視検査を可能にする、ポリカーボネートまたは同様のプラスチックであるが、耐久性のある材料などの透明な材料を含んでもよい。
【００８６】
穿孔格子５１１の穿孔５１１ａのサイズは、多孔性の収納媒体５１０に充分な機械的安定性を提供しながらも、液相１５からガス相１４への充分な蒸発速度およびそれぞれのガス流を可能にするように、１〜２ｍｍの範囲にあってもよい。
【００８７】
離間部材５１８は一片のホースを含んでもよく、穿孔格子５１１は、所望の穿孔構造を実現するように射出成形されるか、切断されるか、または穴開けされるかのいずれかであるプラスチック材料を含んでもよい。
【００８８】
駆動媒体は、テトラフルオロメタンまたは同様の駆動媒体などのハロアルカンを含んでもよい。例えば駆動媒体は、Ｒ１３４ａとしても示される１，１，１，２−テトラフルオロエタンを含んでもよく、またはそれから構成されてもよい。同様に、ＨＦＯ−１２３４ｙｆとしても示される２，３，３，３−テトラフルオロプロペン、および前述した駆動媒体のうちの少なくとも１つとそれとの混合物を、駆動媒体として使用することができる。これらの駆動媒体は、室温ではガス状であるが、充分に加圧または加熱された場合には、液相への相転移を容易に受ける。
【符号の説明】
【００８９】
１０  駆動媒体
１４  ガス相
１５  液相
２０  医療デバイス
２２  ハウジング
２４  カートリッジ
２５  バレル
２６  薬剤
２７  近位端
２８  ピストン
２９  スラスト受け面
３０  封止部
４４  注射針
５０  流れ制限器
６０  駆動部材
６２  封止係合
７０  駆動機構
１００  圧力容器
１０１  圧力ハウジング
１０２  圧力出口
１０３  内部容積
１０４  ガス収納部分
１０５  液体収納部分
１０６  側壁
１０７  底部分
１０８  上部分
１１０  流体チャネル
１１２  内側端部
１１４  撥ねよけ
１１５  側壁
１１６  入口開口部
２００  圧力容器
２０１  圧力ハウジング
２０２  圧力出口
２０３  内部容積
２０４  ガス収納部分
２０５  液体収納部分
２０６  側壁
２０７  底部分
２０８  上部分
２１０  多孔性の輸送媒体
２１２  蒸発チャンバ
２１４  ロッド構造体
２１５  長手方向端部
２１６  長手方向端部
２２０  分割壁
３００  圧力容器
３０１  圧力ハウジング
３０２  圧力出口
３０３  内部容積
３０４  ガス収納部分
３０５  液体収納部分
３０６  側壁
３０７  底部分
３０８  上部分
３１０  多孔性の収納媒体
４００  圧力容器
４０１  圧力ハウジング
４０２  圧力出口
４０３  内部容積
４０４  ガス収納部分
４０５  液体収納部分
４０６  側壁
４０７  底部分
４０８  上部分
４１０  多孔性の収納媒体
４１２  クロージャ
４１４  ロッド構造体
４１５  長手方向端部
４１６  長手方向端部
４１８  封止部
５００  圧力容器
５０１  圧力ハウジング
５０２  圧力出口
５０３  内部容積
５０４  ガス収納部分
５０５  液体収納部分
５０６  側壁
５０７  底部分
５０８  上部分
５１０  多孔性の収納媒体
５１１  穿孔格子
５１１ａ  穿孔
５１２  出口部材
５１４  側壁
５１５  外ねじ
５１６  内ねじ
５１８  離間部材
５２０  出口弁
【図１】
2018516650.tif 000003
【図２】
2018516650.tif 000004
【図３】
2018516650.tif 000005
【図４】
2018516650.tif 000006
【図５】
2018516650.tif 000007
【図６】
2018516650.tif 000008
【国際調査報告】
2018516650.tif 000009
2018516650.tif 000010